(57)【要約】【課題】  耐アルミ腐蝕性に優れた洗浄剤を提供する。【解決手段】  一般式（１）で示される有機アルカリ（Ａ）、アルキル基の炭素数が１〜６のトリアルキルアミン（Ｂ）、並びに数平均分子量３２〜５００の１価アルコール（Ｃ１）、数平均分子量６２〜２５０の２価アルコール（Ｃ２）、数平均分子量９２〜４００の３〜９価アルコール（Ｃ３）および該（Ｃ１）、（Ｃ２）もしくは（Ｃ３）の全ての水酸基を除いた残基と炭素数１〜８のアルキル基とから構成されるアルキルエーテル（Ｃ４）からなる群から選ばれる１種以上の親水性有機溶剤（Ｃ）を含有し、（Ａ）、（Ｂ）および（Ｃ）の合計重量に基づく（Ｂ）の含量が０．０１〜１．０重量％であるアルカリ洗浄剤。【化４】2006008932.tif 000007  式中、Ｒ3、Ｒ4、Ｒ5およびＲ6は、それぞれ炭素数１〜２４の炭化水素基または−（Ｒ7Ｏ）p−Ｈで表される基であり、Ｒ7は炭素数２〜４のアルキレン基、ｐは１〜６の整数を表す。【選択図】  なし【特許請求の範囲】
【請求項１】
一般式（１）で示される有機アルカリ（Ａ）、アルキル基の炭素数が１〜６のトリアルキルアミン（Ｂ）、並びに数平均分子量３２〜５００の１価アルコール（Ｃ１）、数平均分子量６２〜２５０の２価アルコール（Ｃ２）、数平均分子量９２〜４００の３〜９価アルコール（Ｃ３）および該（Ｃ１）、（Ｃ２）もしくは（Ｃ３）の全ての水酸基を除いた残基と炭素数１〜８のアルキル基とから構成されるアルキルエーテル（Ｃ４）からなる群から選ばれる１種以上の親水性有機溶剤（Ｃ）を含有し、（Ａ）、（Ｂ）および（Ｃ）の合計重量に基づく（Ｂ）の含量が０．０１〜１．０重量％であるアルカリ洗浄剤。
【化１】
2006008932.tif 000006
〔式中、Ｒ3、Ｒ4、Ｒ5およびＲ6は、それぞれ炭素数１〜２４の炭化水素基または−（Ｒ7Ｏ）p−Ｈで表される基であり、Ｒ7は炭素数２〜４のアルキレン基、ｐは１〜６の整数を表す。〕
【請求項２】
一般式（１）におけるＲ3、Ｒ4、Ｒ5およびＲ6のいずれもがメチル基またはエチル基である請求項１記載の洗浄剤。
【請求項３】
（Ｃ３）が、グリセリン、ジグリセリンおよびトリグリセリンからなる群から選ばれる少なくとも１種である請求項１または２記載の洗浄剤。
【請求項４】
（Ｃ４）が、（Ｃ２）のアルキルエーテルであって、下記一般式（２）で表されるグリコールエーテル（Ｃ４１）である請求項１〜３のいずれか記載の洗浄剤。
Ｒ1Ｏ（Ａ1Ｏ）n−Ｒ2              （２）
〔式中、Ｒ6およびＲ7は炭素数１〜８の炭化水素基、Ａ1は炭素数２〜４のアルキレン基、ｎは１〜４の整数を表す。〕
【請求項５】
（Ａ）、（Ｂ）および（Ｃ）の合計重量に基づいて、（Ａ）を０．１〜２５重量％、（Ｂ）を０．０１〜１．０重量％、（Ｃ）を７５〜９８重量％含有する請求項１〜４のいずれか記載の洗浄剤。
【請求項６】
（Ｃ）における、（Ｃ１）、（Ｃ２）および（Ｃ４）の合計重量と（Ｃ３）との重量比
［（Ｃ１）＋（Ｃ２）＋（Ｃ４）］／（Ｃ３）が７０〜９９／１〜３０である請求項１〜５のいずれか記載の洗浄剤。
【請求項７】
さらに、他の親水性有機溶媒（Ｄ）、界面活性剤（Ｅ）、無機アルカリ（Ｆ）、その他の添加剤（Ｇ）および／または水を含有してなる請求項１〜６いずれか記載の洗浄剤。
【請求項８】
洗浄剤中の水以外の成分の合計の単位重量当たりの３級アミン価が０．１〜１０ｍｇＫＯＨ／ｇである請求項１〜７のいずれか記載の洗浄剤。
【請求項９】
５０℃におけるアルミの腐食速度が、１０ｍｄｄ以下である請求項１〜８のいずれか記載の洗浄剤。
【請求項１０】
請求項１〜９のいずれか記載の洗浄剤を用いて、超音波洗浄、シャワー洗浄、スプレー洗浄、浸漬および浸漬揺動から選ばれる１種以上の方法で洗浄することを特徴とする電子部品、電気部品またはアルミ建材の洗浄方法。
【請求項１１】
電子部品がガラス基板である請求項１０記載の洗浄方法。
【請求項１２】
ガラス基板が少なくとも一部にアルミニウムを使用したガラス基板である請求項１１記載の洗浄方法。
【請求項１３】
請求項１０記載の洗浄方法で洗浄し、リンスした後、乾燥して得られる電子部品、電気部品またはアルミ建材。
【発明の詳細な説明】
【技術分野】
【０００１】
本発明は、電子部品、金属部品、セラミック部品などに付着している油脂類、樹脂、パーティクルなどを除去するのに使用されるアルカリ洗浄剤、更に詳しくは液晶パネルの垂直配向ポリイミド膜（とくに半焼成膜）の剥離液として使用されるアルカリ洗浄剤に関する。
【背景技術】
【０００２】
従来より、アルカリ洗浄剤は中性洗浄剤に比べて、油脂類、樹脂、パーティクルなどを除去する能力にすぐれているので、電子部品、金属部品、セラミック部品などの生産現場において幅広く使用されている。しかしながら、アルカリ洗浄剤はアルミなどの非鉄金属を容易に腐蝕させるので、アルミが部品の一部または全部に使用されている電子部品などの洗浄には使用できないのが現状であった。例えば、電子部品とくに液晶パネルのポリイミド配向膜はこれまで水平配向タイプであったが、広視野角の液晶パネルの要望が強くなるにつれて垂直配向タイプのポリイミド配向膜が増える趨勢にある。水平配向タイプのポリイミド配向膜ガラス基板は完全焼成（焼成温度：約１８０℃）前の半焼成状態（約８０℃で脱溶剤した半硬化膜）であれば、その不具合品はＮ−メチルピロリドンなどの溶剤でアルミ薄膜（配線）を腐蝕することなく配向膜を剥離できるが、垂直配向タイプのポリイミド配向膜の場合には、該半焼成状態であっても溶剤ではポリイミド配向膜（半焼成）を剥離できないので、アルカリ洗浄剤を使用して配向膜剥離を行っている（特許文献−１参照）。その際、ガラス基板のアルミ薄膜（配線）は腐蝕するのでアルミ薄膜部分をワックスなどで保護して洗浄し、次に炭化水素などの溶剤でワックス除去して基板を再生させるか、配向膜と同時にアルミ薄膜を完全に剥離・溶解させてからガラス基板だけを再生させる方法がとられていた。
【特許文献−１】特開平６−３０６６６１号公報
【発明の開示】
【発明が解決しようとする課題】
【０００３】
本発明の目的は、耐アルミ腐蝕性に優れた新規な洗浄剤、洗浄方法および洗浄された電子部品を提供することにある。
【課題を解決するための手段】
【０００４】
本発明者は、上記目的を達成すべく鋭意研究した結果、本発明に到達した。
すなわち、本発明は、一般式（１）で示される有機アルカリ（Ａ）、アルキル基の炭素数が１〜６のトリアルキルアミン（Ｂ）、並びに数平均分子量３２〜５００の１価アルコール（Ｃ１）、数平均分子量６２〜２５０の２価アルコール（Ｃ２）、数平均分子量９２〜４００の３〜９価アルコール（Ｃ３）および該（Ｃ１）、（Ｃ２）もしくは（Ｃ３）の全ての水酸基を除いた残基と炭素数１〜８のアルキル基とから構成されるアルキルエーテル（Ｃ４）からなる群から選ばれる１種以上の親水性有機溶剤（Ｃ）を含有し、（Ａ）、（Ｂ）および（Ｃ）の合計重量に基づく（Ｂ）の含量が０．０１〜１．０重量％であるアルカリ洗浄剤；該洗浄剤を用いて、超音波洗浄、シャワー洗浄、スプレー洗浄、浸漬および浸漬揺動から選ばれる１種以上の方法で洗浄することを特徴とする電子部品、電気部品またはアルミ建材の洗浄方法；該洗浄方法で洗浄し、リンスした後、乾燥して得られる電子部品、電気部品またはアルミ建材；である。
【０００５】
【化２】
2006008932.tif 000002
【０００６】
式中、Ｒ3、Ｒ4、Ｒ5およびＲ6は、それぞれ炭素数１〜２４の炭化水素基または−（Ｒ7Ｏ）p−Ｈで表される基であり、Ｒ7は炭素数２〜４のアルキレン基、ｐは１〜６の整数を表す。
【発明の効果】
【０００７】
本発明の洗浄剤は、耐アルミ腐蝕性に優れているため、例えば液晶パネル用ガラス基板のアルミ配線、カラーフィルター部材にダメージを与えずに半焼成垂直配向ポリイミド膜を短時間に剥離・洗浄できる。したがって、配向膜剥離洗浄工程（ガラス基板再生工程）において従来のガラス基板の再生だけでなく、アルミ配線、カラーフィルター部材も同時に再生使用できる。また、本発明の洗浄剤は、油分、指紋、樹脂およびパーティクルを除去する能力にも優れている。
【発明を実施するための最良の形態】
【０００８】
本発明における有機アルカリ（Ａ）としては、下記一般式（１）で表される有機アルカリおよびこれらの混合物などが挙げられる。
【０００９】
【化３】
2006008932.tif 000003
【００１０】
式中、Ｒ1、Ｒ2、Ｒ3およびＲ4は、それぞれ炭素数１〜２４、好ましくは１〜１４の炭化水素基または−（Ｒ7Ｏ）p−Ｈで表される基であり、Ｒ5は炭素数２〜４のアルキレン基、ｐは１〜６の整数を表す。
炭素数１〜２４の炭化水素基としては、直鎖もしくは分岐の飽和または不飽和炭化水素基、脂環式炭化水素基および芳香環含有炭化水素基などが挙げられる。
直鎖もしくは分岐の飽和炭化水素基としては、アルキル基（メチル基、エチル基、ｎ−、ｉ−、ｓｅｃ−およびｔ−ブチル基、オクチル基、２−エチルへキシル基並びにオクタデシル基など）；直鎖もしくは分岐の不飽和炭化水素基としては、アルケニル基（ビニル基、プロペニル基、アリル基およびブテニル基など）；脂環式炭化水素基としては、シクロアルキル基（シクロヘキシル基など）；芳香環含有炭化水素基としては、アリール基（フェニル基およびナフチル基など）、アラルキル基（ベンジル基およびフェネチル基など）、アルキルアリール基（メチルフェニル基、エチルフェニル基、ノニルフェニル基、メチルナフチル基およびエチルナフチル基など）等が挙げられる。
これらの炭化水素基の中では、洗浄性の観点から好ましいのはアルキル基およびアルケニル基である。
Ｒ1の炭素数が２４以下であれば洗浄性（または剥離性、以下同じ）が優れている。
【００１１】
−（Ｒ7Ｏ）p−Ｈにおいて、Ｒ5としては、例えばエチレン基、プロピレン基およびブチレン基などの炭素数２〜４のアルキレン基が挙げられる。
Ｒ5の炭素数が４を以下であれば洗浄性が良好である。ｐは１〜６（好ましくは１〜３）の整数であり、ｐが６以下であれば洗浄性が良好である。
【００１２】
一般式（１）におけるカチオンの例としては、下記（１）〜（４）のテトラハイドロカルビルアンモニウムカチオン、下記（５）のオキシアルキレン基を有するアンモニウムカチオンおよびこれらの混合物が挙げられる。（Ａ）は、これらのカチオンとハイドロオキサイドアニオンとの塩である。
（１）炭素数１〜６のアルキル基を４個含むカチオン
［例えば、テトラメチルアンモニウム、テトラエチルアンモニウム、テトラ（ｎ−またはｉ−）プロピルアンモニウム、テトラ（ｎ−、ｉ−またはｔ−）ブチルアンモニウム、テトラペンチルアンモニウム、テトラヘキシルアンモニウム、トリメチルエチルアンモニウムおよびテトラエチルアンモニウムなど］；
（２）炭素数１〜６のアルキル基を３個と炭素数７〜２４のハイドロカルビル基を１個含むカチオン
［例えば、トリメチルへプチルアンモニウム、トリメチルオクチルアンモニウム、トリメチルデシルアンモニウム、トリメチルドデシルアンモニウム、トリメチルステアリルアンモニウム、トリメチルベンジルアンモニウム、トリエチルへキシルアンモニウム、トリエチルオクチルアンモニウム、トリエチルステアリルアンモニウム、トリエチルベンジルアンモニウム、トリブチルアンモニウム、トリブチルオクチルアンモニウムおよびトリへキシルステアリルアンモニウムなど］；
（３）炭素数１〜６のアルキル基を２個と炭素数７〜２４のハイドロカルビル基を２個含むカチオン
［例えば、ジメチルジオクチルアンモニウム、ジエチルジオクチルアンモニウムおよびジメチルジベンジルアンモニウムなど］、
（４）炭素数１〜６のアルキル基を１個と炭素数７〜２４のハイドロカルビル基を３個含むカチオン
［例えば、メチルトリオクチルアンモニウム、エチルトリオクチルアンモニウムおよびメチルオクチルジベンジルアンモニウムなど］。
【００１３】
（５）オキシアルキレン基を有するアンモニウムカチオン
（ｉ）オキシアルキレン基を１個有するカチオン［例えば、ヒドロキシエチルトリメチルアミンカチオン、ヒドロキシエチルトリエチルアミンカチオン、ヒドロキシプロピルトリメチルアミンカチオン、ヒドロキシプロピルトリエチルアミンカチオン、ヒドロキシエチルジメチルエチルアミンカチオンおよびヒドロキシエチルジメチルオクチルアミンカチオンなど］
（ｉｉ）オキシアルキレン基を２個有するカチオン［例えば、ジヒドロキシエチルジメチルアミンカチオン、ジヒドロキシエチルジエチルアミンカチオン、ジヒドロキシプロピルジメチルアミンカチオン、ジヒドロキシプロピルジエチルアミンカチオン、ジヒドロキシエチルメチルエチルアミンカチオン、ジヒドロキシエチルメチルオクチルアミンカチオンおよびビス（２−ヒドロキシエトキシエチル）オクチルアミンカチオンなど］
（ｉｉｉ）オキシアルキレン基を３個有するカチオン［例えば、トリヒドロキシエチルメチルアミンカチオン、トリヒドロキシエチルエチルアミンカチオン、トリヒドロキシエチルブチルアミンカチオン、トリヒドロキシプロピルメチルアミンカチオン、トリヒドロキシプロピルエチルアミンカチオンおよびトリヒドロキシエチルオクチルアミンカチオンなど］
【００１４】
一般式（１）におけるカチオンのうち、洗浄性とリンス性の観点から、好ましいのはテトラハイドロカルビルアンモニウムカチオンであり、さらに好ましいのは、上記（１）および（２）、特に好ましいのは（１）、最も好ましいのはテトラメチルアンモニウムカチオン、テトラエチルアンモニウムカチオンおよびこれらの併用である。
【００１５】
本発明におけるアルキル基の炭素数が１〜６のトリアルキルアミン（Ｂ）としては、全てのアルキル基の炭素数が同じであるトリアルキルアミン（Ｂ１）およびアルキル基の炭素数が異なるトリアルキルアミン（Ｂ２）が挙げられる。
（Ｂ１）としては、トリメチルアミン、トリエチルアミン、トリプロピルアミン、トリブチルアミンおよびトリペンチルアミンなど、（Ｂ２）としてはメチルジエチルアミン、ジメチルエチルアミン、メチルジブチルアミン、ジメチルブチルアミン、ジメチルヘキシルアミンおよびジエチルヘキシルアミンなどが挙げられる。
これらのうち洗浄性と耐腐蝕性の観点から好ましいのは（Ｂ１）、さらに好ましいのはトリメチルアミンおよびトリエチルアミンである。
【００１６】
本発明における親水性有機溶剤（Ｃ）は、２０℃における水に対する溶解度（ｇ／１００ｇＨ2Ｏ）が３以上、好ましくは１０以上のものであり、下記の（Ｃ１）〜（Ｃ４）の化合物が挙げられる。
【００１７】
（Ｃ１）数平均分子量（以下、Ｍｎと略記：測定はゲルパーミエーションクロマトグラフィー（ＧＰＣ）による）３２〜５００の１価アルコール：
炭素数１〜１２の脂肪族アルコールおよび該アルコールに炭素数２〜４のアルキレンオキサイド（以下、ＡＯと略記）を付加した化合物およびこれらの混合物が挙げられる。
炭素数１〜１２の脂肪族アルコールとしてはメタノール、エタノール、イソプロパノールおよびブタノールなどが挙げられ、該アルコールに炭素数２〜４のＡＯを付加した化合物としてはエチレングリコールモノメチルエーテル、ジエチレングリコールモノメチルエーテル、トリエチレングリコールモノメチルエーテル、プロピレングリコールモノメチルエーテルおよびジエチレングリコールモノブチルエーテルなどが挙げられる。
これらのうち洗浄性と耐腐蝕性の観点から好ましいのは、エチレングリコールモノメチルエーテル、ジエチレングリコールモノメチルエーテルおよびトリエチレングリコールモノメチルエーテルであり、さらに好ましいのはジエチレングリコールモノメチルエーテルである。
【００１８】
（Ｃ２）Ｍｎ６２〜２５０の２価のアルコール：
アルカンジオール（炭素数２〜８のアルカンジオール：エチレングリコール、１，２−プロピレングリコール、１，３−プロピレングリコール、１，４−ブタンジオール、１，６−ヘキサンジオールおよびネオペンチルグリコールなど）、脂環式ジオール（炭素数６〜１５のジオール：シクロヘキサン−１，２−、１，３−および１，４−ジオール、シクロペンタン−１，２−および１，３−ジオール並びに水素添加ビスフェノールＡなど）、、分子中にエーテル基を１個有するジオール（ジエチレングリコールおよびジプロピレングリコールなど）並びにこれらの混合物が挙げられる。（Ｃ２）のＭｎは好ましくは６２以上１５０未満である。
これらのうち洗浄性と耐腐蝕性の観点から好ましいのは、プロピレングリゴールおよびジプロピレングリコールであり、さらに好ましいのはプロピレングリコールである。
【００１９】
（Ｃ３）Ｍｎ９２〜４００の３〜９価アルコール：
３〜９価の脂肪族多価アルコール（グリセリン、トリメチロールエタン、トリメチロールプロパン、ジグリセリン、トリグリセリン、テトラグリセリン、ペンタグリセリン、キシリトール、ソルビトールおよびシュークロースなど）、並びにこれらのＡＯ付加物（付加モル数１〜７モル）などが挙げられる。
これらのうちで洗浄性とリンス性の観点から好ましいのは、グリセリン、ジグリセリンおよびトリグリセリン、さらに好ましいのはグリセリンおよびジグリセリン、特にグリセリンである。
【００２０】
（Ｃ４）は、（Ｃ１）、（Ｃ２）もしくは（Ｃ３）の全ての水酸基を除いた残基と炭素数１〜８、好ましくは１もしくは２のアルキル基とから構成されるアルキルエーテルである。
（Ｃ４）としては、例えば、（Ｃ２）のアルキルエーテルであって、下記一般式（２）で表されるグリコールエーテル（Ｃ４１）が挙げられる。
Ｒ1Ｏ（Ａ1Ｏ）n−Ｒ2              （２）
式中、Ｒ6およびＲ7は炭素数１〜８の炭化水素基、Ａ1は炭素数２〜４のアルキレン基、ｎは１〜４の整数を表す。
具体的には、ジエチレングリコールジメチルエーテル、ジエチレングリコールジエチルエーテル、トリエチレングリコールジメチルエーテルおよびトリエチレングリコールジエチルエーテルなどが挙げられる。
これらのうち洗浄性と耐腐蝕性の観点から好ましいのは、ジエチレングリコールジメチルエーテルおよびジエチレングリコールジエチルエーテルであり、さらに好ましいのはジエチレングリコールジエチルエーテルである。
【００２１】
（Ｃ）のうち洗浄性と耐腐蝕性の観点から好ましいのは、（Ｃ１）と（Ｃ３）の併用、（Ｃ２）と（Ｃ３）の併用、および（Ｃ１）と（Ｃ３）と（Ｃ４）の併用であり、特に（Ｃ１）と（Ｃ３）の併用が好ましい。
（Ｃ１）と（Ｃ３）の併用の場合の重量比（Ｃ１）／（Ｃ３）は、好ましくは５０〜９８／２〜５０、さらに好ましくは８０〜９８／２〜２０である。
（Ｃ２）と（Ｃ３）の併用の場合の重量比（Ｃ２）／（Ｃ３）は、好ましくは５０〜９８／２〜５０、さらに好ましくは８０〜９８／２〜２０である。
（Ｃ１）と（Ｃ３）と（Ｃ４）の併用の場合の重量比（Ｃ１）／（Ｃ３）／（Ｃ４）は、好ましくは５０〜９６／１〜５０／２〜３０、さらに好ましくは６０〜９５／２〜５０／２〜３０である。
（Ｃ）における、（Ｃ１）、（Ｃ２）および（Ｃ４）の合計重量と（Ｃ３）との重量比
［（Ｃ１）＋（Ｃ２）＋（Ｃ４）］／（Ｃ３）は、洗浄性と耐腐蝕性の観点から好ましくは７０〜９９／１〜３０、さらに好ましくは８０〜９８／２〜２０である。
【００２２】
本発明の洗浄剤における（Ａ）、（Ｂ）および（Ｃ）の含有量は、洗浄性と耐腐蝕性の観点から、（Ａ）、（Ｂ）および（Ｃ）の合計重量に基づき、（Ａ）は好ましくは０．１〜２５％（以下において％は重量％を表す）、さらに好ましくは０．２〜１０％であり、（Ｂ）は好ましくは０．０１〜１．０％、さらに好ましくは０．０１〜０．８％であり、（Ｃ）は好ましくは７５〜９８％、さらに好ましくは８５〜９８％である。
【００２３】
本発明の洗浄剤には、（Ａ）、（Ｂ）および（Ｃ）以外に、必要によりさらに他の親水性有機溶媒（Ｄ）、界面活性剤（Ｅ）、無機アルカリ（Ｆ）、その他の添加剤（Ｇ）および／または水を含有してもよい。
【００２４】
他の親水性有機溶媒（Ｄ）としては、種々の溶媒が使用でき、例えば窒素原子含有親水性溶媒［ピロリドン系溶媒（Ｎ−メチルピロリドン、Ｎ−エチルピロリドン、２−ピロリドンなど）、およびホルムアミド系溶剤（Ｎ−メチルホルムアミド、Ｎ，Ｎ−ジメチルホルムアミドなど）など］；ラクトン系親水性溶媒［炭素数３〜１２のラクトン（プロピオラクトン、ブチロラクトンなど）など］；ケトン系親水性溶媒［メチルエチルケトン、シクロヘキサノン、ジアセトンアルコールなど］；環状エーテル系親水性溶媒［テトラヒドロフラン、テトラヒドロピランなど］；エステル系親水性溶媒［酢酸エチル、乳酸エチル、乳酸ブチル、アセト酢酸エチルなど］などが挙げられる。
これらのうちで好ましいのは、窒素原子含有親水性溶媒およびラクトン系親水性溶媒であり、特に好ましいのはＮ−メチルピロリドンおよびブチロラクトンである。
（Ｄ）の含有量は、洗浄剤の全重量に基づいて通常５０％以下、好ましくは１０〜３０％であり、（Ｃ）の重量に基づいて通常６０％以下、好ましくは１０〜４０％である。
【００２５】
界面活性剤（Ｅ）としては、非イオン界面活性剤（Ｅ１）、アニオン界面活性剤（Ｅ２）、カチオン界面活性剤（Ｅ３）、両性界面活性剤（Ｅ４）およびこれらの混合物が挙げられる。但し、（Ｅ１）には、上記の（Ｃ）の範囲の化合物（水に対する溶解度が３以上のもの）は含まれない。また、（Ｅ３）には一般式（１）で示される有機アルカリは含まれない。
【００２６】
（Ｅ１）としては、例えば、ＡＯ付加型非イオン界面活性剤［高級アルコール（炭素数８〜１８）、アルキルフェノール（炭素数１０〜２４）、高級脂肪酸（炭素数１２〜２４）または高級アルキルアミン（炭素数８〜２４）等に直接ＡＯ［炭素数２〜４、例えばエチレンオキシド（以下ＥＯと略記）、プロピレンオキシド、ブチレンオキシド、以下同じ］を付加させたもの（Ｍｎ１５８〜２００，０００）；ポリオキシアルキレングリコール（Ｍｎ１５０〜６，０００）に高級脂肪酸（炭素数１２〜２４）などを反応させたもの；ジオール［前記（Ｃ２）として例示したもの］または３〜９価の多価アルコール［前記（Ｃ３）として例示したもの］などの水酸基含有化合物に高級脂肪酸（炭素数１２〜２４）を反応させて得られたエステル化物にＡＯを付加させたもの（Ｍｎ２５０〜３０，０００）、高級脂肪酸（炭素数８〜２４）アミドにＡＯを付加させたもの（Ｍｎ２００〜３０，０００）、多価アルコール（前記のもの）アルキル（炭素数８〜６０）エーテルにＡＯを付加させたもの（Ｍｎ１２０〜３０，０００）など］、および多価アルコール（炭素数３〜２０）型非イオン界面活性剤［多価アルコール脂肪酸（炭素数８〜６０）エステル、多価アルコールアルキル（炭素数８〜６０）エーテル、脂肪酸（炭素数８〜６０）アルカノールアミドなど］などが挙げられる。
【００２７】
（Ｅ２）としては、例えば、カルボン酸（炭素数８〜２２の飽和または不飽和脂肪酸）またはその塩、カルボキシメチル化物の塩［炭素数８〜１６の脂肪族アルコールおよび／またはそのＥＯ（１〜１０モル）付加物などのカルボキシメチル化物の塩など］、硫酸エステル塩［高級アルコール硫酸エステル塩（炭素数８〜１８の脂肪族アルコールの硫酸エステル塩など）など］、高級アルキルエーテル硫酸エステル塩［炭素数８〜１８の脂肪族アルコールのＥＯ（１〜１０モル）付加物の硫酸エステル塩］、硫酸化油（天然の不飽和油脂または不飽和のロウをそのまま硫酸化して中和した塩）、硫酸化脂肪酸エステル（不飽和脂肪酸の低級アルコールエステルを硫酸化して中和した塩）、硫酸化オレフィン（炭素数１２〜１８のオレフィンを硫酸化して中和した塩）、スルホン酸塩［アルキルベンゼンスルホン酸塩、アルキルナフタレンスルホン酸塩、スルホコハク酸ジエステル型、α−オレフィン（炭素数１２〜１８）スルホン酸塩、イゲポンＴ型など］およびリン酸エステル塩［高級アルコール（炭素数８〜６０）リン酸エステル塩、高級アルコール（炭素数８〜６０）ＥＯ付加物リン酸エステル塩、アルキル（炭素数４〜６０）フェノールＥＯ付加物リン酸エステル塩など］が挙げられる。
上記の塩としては、アルカリ金属（ナトリウム、カリウムなど）塩、アルカリ土類金属（カルシウム、マグネシウムなど）塩、アンモニウム塩、アルキルアミン（炭素数１〜２０）塩およびアルカノールアミン（炭素数２〜１２、例えばモノー、ジ−およびトリエタノールアミン）塩などが挙げられる。但し、アルキルアミン塩の場合であって、アルキルアミンが（Ｂ）のトリアルキルアミンである場合は、該アルキルアミンは（Ｂ）の含有量に含まれる。
【００２８】
（Ｅ３）としては、第４級アンモニウムのハロゲン塩型［テトラアルキル（炭素数４〜１００）アンモニウムクロライド、例えばラウリルトリメチルアンモニウムクロライド、ジデシルジメチルアンモニウムクロライド、ジオクチルジメチルアンモニウムブロマイド、ステアリルトリメチルアンモニウムブロマイド；トリアルキル（炭素数３〜８０）ベンジルアンモニウムクロライド、例えばラウリルジメチルベンジルアンモニウムクロライド（塩化ベンザルコニウム）；アルキル（炭素数２〜６０）ピリジニウム塩、例えばセチルピリジニウムクロライド；ポリオキシアルキレン（炭素数２〜４）トリアルキルアンモニウムクロライド、例えばポリオキシエチレントリメチルアンモニウムクロライド；サパミン型第４級アンモニウム塩、例えばステアラミドエチルジエチルメチルアンモニウムメトサルフェート］、アミン塩型［脂肪族高級アミン（炭素数１２〜６０、例えばラウリルアミン、ステアリルアミン、セチルアミン、硬化牛脂アミン、ロジンアミンなど）の無機酸（塩酸、硫酸、硝酸およびリン酸など）塩または有機酸（炭素数２〜２２、例えば酢酸、プロピオン酸、ラウリル酸、オレイン酸、安息香酸、コハク酸、アジピン酸、アゼライン酸）塩；脂肪族アミン（炭素数１〜３０）のＥＯ付加物などの無機酸（前記のもの）塩または有機酸（前記のもの）塩；３級アミン類（トリエタノールアミンモノステアレート、ステアラミドエチルジエチルメチルエタノールアミンなど）の無機酸（前記のもの）塩または有機酸（前記のもの）塩など］などが挙げられる。
【００２９】
（Ｅ４）としては、アミノ酸型両性界面活性剤［高級アルキルアミン（炭素数１２〜１８）のプロピオン酸ナトリウムなど］、ベタイン型両性界面活性剤［アルキル（炭素数１２〜１８）ジメチルベタイン、アルキル（炭素数１２〜１８）ジヒドロキシエチルベタイン、ヤシ油脂肪酸アミドプロピルベタインなど］、硫酸エステル塩型両性界面活性剤［高級アルキル（炭素数８〜１８）アミンの硫酸エステルナトリウム塩、ヒドロキシエチルイミダゾリン硫酸エステルナトリウム塩など］、スルホン酸塩型両性界面活性剤（ペンタデシルスルフォタウリン、イミダゾリンスルホン酸など）、リン酸エステル塩型両性界面活性剤［グリセリン高級脂肪酸（炭素数８〜２２）エステル化物のリン酸エステルアミン塩］などが挙げられる。
【００３０】
（Ｅ１）〜（Ｅ４）の中では、洗浄性と耐腐蝕性の観点から好ましいのは（Ｅ１）および（Ｅ２）、さらに好ましいのは（Ｅ１）である。
（Ｅ）の含有量は、洗浄剤の全重量に基づいて、通常３０％以下、好ましくは１〜２０％である。
【００３１】
無機アルカリ（Ｆ）としては、（Ｆ１）金属水酸化物［アルカリ金属水酸化物（水酸化リチウム、水酸化ナトリウムおよび水酸化カリウムなど）、アルカリ土類金属水酸化物（水酸化カルシウム、水酸化マグネシウムおよび水酸化バリウムなど）］、（Ｆ２）炭酸塩［アルカリ金属炭酸塩（炭酸ナトリウムおよび炭酸カリウムなど）、アルカリ土類金属炭酸塩（炭酸カルシウム、炭酸マグネシウムおよび炭酸バリウムなど）］、（Ｆ３）リン酸塩［アルカリ金属リン酸塩（ピロリン酸ナトリウム、ピロリン酸カリウム、トリポリリン酸ナトリウムおよびトリポリリン酸カリウムなど）、アルカリ土類金属リン酸塩（ピロリン酸カルシウム、ピロリン酸マグネシウム、ピロリン酸バリウム、トリポリリン酸カルシウム、トリポリリン酸マグネシウムおよびトリポリリン酸バリウムなど）］および（Ｆ４）ケイ酸塩［アルカリ金属ケイ酸塩（ケイ酸ナトリウムおよびケイ酸カリウムなど）、アルカリ土類金属ケイ酸塩（ケイ酸カルシウム、ケイ酸マグネシウムおよびケイ酸バリウムなど）］などが挙げられる。
（Ｆ）の含有量は、洗浄剤の全重量に基づいて、通常５％以下、好ましくは３％以下である。
【００３２】
その他の添加剤（Ｇ）としては、防錆剤［アミン（炭素数６〜３０、例えばシクロヘキシルアミン、ラウリルアミン、ステアリルアミンなど）のＥＯ（２〜１０モル）付加物、クロム酸塩、亜硝酸塩、アミン（炭素数６〜３０）の高級脂肪酸（炭素数８〜３０）塩、ジカルボン酸（炭素数１２〜２４）のアルカリ金属（ナトリウム、カリウムなど）塩、ジカルボン酸（炭素数１２〜２４）のアルカノールアミド（例えば、ドデセニルコハク酸ジエタノールアミド）、ジカルボン酸（炭素数１２〜２４）のアルカノールアミドアルカリ金属塩（例えば、ドデセニルコハク酸ジエタノールアミドナトリウム塩）など］、酸化防止剤［フェノール化合物（２，６−ジ−ｔ−ブチル−４−メチルフェノールなど）、含硫化合物（ジラウリルチオジプロピオネートなど）、（Ｂ）以外のアミン化合物（オクチル化ジフェニルアミンなど）、リン化合物（トリフェニルホスファイトなど）など］、金属イオン封鎖剤（エチレンジアミン四酢酸ナトリウム、クエン酸ナトリウムなど）などが挙げられる。
（Ｇ）の含有量は、洗浄剤の全重量に基づいて、防錆剤は通常２０％以下、好ましくは０．５〜１０％、酸化防止剤は通常５％以下、好ましくは０．１〜１％、金属イオン封鎖剤は通常２０％以下、好ましくは０．５〜１０％である。
【００３３】
本発明の洗浄剤における水の含有量は、洗浄剤の全重量に基づいて、洗浄性、リンス性および耐腐蝕性の観点から、好ましくは３９％以下、さらに好ましくは１〜３８％、特に好ましくは２〜３０％である。
本発明の洗浄剤の重量に基づく、（Ｄ）、（Ｅ）、（Ｆ）および（Ｇ）の合計の含有量は、通常４０％以下、好ましくは３０％以下、さらに好ましくは２０％以下である。
【００３４】
本発明の洗浄剤は、通常、固体または液状であり、使いやすさの観点から好ましいのは液状であり、液状の場合は透明または白濁液状のいずれでもよい。本発明の洗浄剤が液状の場合の２５℃における粘度は、通常２〜３００ｍｍ2／ｓ、洗浄性およびリンス性の観点から、好ましくは３〜１００ｍｍ2／ｓ、更に好ましくは４〜５０ｍｍ2／ｓである。粘度はオストワルドまたはウベローデなどの粘度計にて測定できる。
本発明の洗浄剤のｐＨ（１０％水溶液）は通常１０〜１４、洗浄性および耐腐蝕性の観点から、好ましくは１０．５〜１３．５である。
【００３５】
本発明の洗浄剤中の水以外の成分の合計の単位重量当たりの３級アミン価は好ましくは０．１〜１０ｍｇＫＯＨ／ｇ、さらに好ましくは０．３〜７ｍｇＫＯＨ／ｇである。
３級アミン価が０．１〜１０ｍｇＫＯＨ／ｇであれば耐腐食性の観点で好ましい。
３級アミン価は以下の方法で測定できる。
(i)試料を０．３〜７ｇを１００ｍｌビーカーに精秤し、メチルアルコール５０ｍｌを加えて溶解する。
(ii)これに１０ｍｌの無水酢酸を加えてよく混合し、３０分間室温にて放置後、溶液を電位差滴定装置を用いて、０．０１ｍｏｌ／Ｌアルコール性塩酸標準溶液にて滴定する。
(iii)滴定曲線の変曲点を滴定の終点とする。
(iv)滴定は２個の試料について行うとともに、空試験を行う。
(v)３級アミン価は、以下の式によって算出する。
３級アミン価＝（Ａ−Ｂ）×ｆ×０．５６１１／Ｓ
Ａ：本試験に要した０．０１ｍｏｌ／ｌ塩酸標準溶液のｍｌ数
Ｂ：空試験に要した０．０１ｍｏｌ／ｌ塩酸標準溶液のｍｌ数
ｆ：０．０１ｍｏｌ／ｌ塩酸標準溶液の力価
Ｓ：試料の採取量（ｇ）
【００３６】
本発明の洗浄剤が適用できる用途は特に限定はなく、各種の電子部品、電気部品およびアルミ建材などの洗浄に使用され、好ましくは電子部品の洗浄、特にアルミニウムが部品の一部または全部に使用されている電子部品などの洗浄用として幅広く用いることができる。例えば液晶パネル用ガラス基板（配向膜パターン化の前の洗浄、不具合配向膜の剥離洗浄）、プリント基盤、プラズマディスプレイガラス基板、サーマルヘッドなどの電子部品、エアコン冷却フィン、空気清浄機アルミ電極板、電気カミソリ刃などの電気部品、アルミ建材等が挙げられる。また、洗浄の対象物（汚れ）は、油分、指紋、樹脂、有機パーティクルなどの有機物、無機パーティクル（例えば、ガラス粉、セラミック粉、金属粉など）などの無機物が挙げられる。本発明の洗浄剤はこれらのうち、とくに、液晶パネル用ガラス基板の洗浄（配向膜を薄膜化する前のガラス基板の洗浄、または配向膜が不具合となったガラス基板の洗浄）に好適に用いることができる。
【００３７】
本発明の洗浄剤を用いて、例えば液晶パネル用ガラス基板の配向膜を剥離洗浄する方法としては、超音波洗浄、シャワー洗浄、スプレー洗浄、浸漬、浸漬揺動およびこれらの組み合わせによる洗浄方法が適用できる。
洗浄時の本発明の洗浄剤は、必要によりさらに水で稀釈されて使用されてもよいが、好ましいのは上記の水の含有量の範囲内である。
【００３８】
洗浄温度は、通常１０〜７０℃、好ましくは１５〜６０℃程度である。洗浄時間は通常０．２〜１２０分、好ましくは０．５〜３０分である。水によるリンス温度は、通常５〜９０℃、好ましくは１０〜７０℃であり、リンス方法としては上記洗浄方法と同じ方法が適用できる。リンス後通常５０〜１５０℃、好ましくは６０〜１００℃で通常１〜１２０分間、好ましくは３〜６０分間加熱乾燥することにより清浄な液晶パネル用ガラス基板が得られ、再生使用することができる。
【００３９】
＜実施例＞
以下、実施例により本発明を詳細に説明するが、本発明はこれに限定されるものではない。なお、以下において部は重量部を示す。
【００４０】
実施例１〜８、比較例１〜３
表１に記載の部数（純分表示）の各成分を、１Ｌのビーカー中で室温で十分に撹拌・混合して実施例および比較例の洗浄剤を作製した。
表１中の略号は下記の通りである。
Ａ−１：テトラメチルアンモニウムハイドロオキサイド
Ａ−２：テトラエチルアンモニウムハイドロオキサイド
Ａ−３：水酸化ナトリウム
Ｂ−１：トリメチルアミン
Ｂ−２：トリエチルアミン
Ｃ１−１：ジエチレングリコールモノメチルエーテル
Ｃ１−２：トリエチレングリコールモノメチルエーテル
Ｃ２−１：プロピレングリコール
Ｃ３−１：グリセリン
Ｃ３−２：ジグリセリン
Ｃ４−１：ジエチレングリコールジエチルエーテル
【００４１】
実施例および比較例で得られた洗浄剤の評価試験方法を以下に示し、評価結果を表１に示す。
【００４２】
１．配向膜剥離性
予めＩＴＯ膜（インジウム・スズ酸化膜）を形成されたガラス基板（２５×２５ｍｍ、厚さ０．７５ｍｍ）の上にポリイミド樹脂を塗布し、８０℃で焼き付ける作業を３回繰り返し、半焼性の垂直配向ポリイミド膜（膜厚５μｍ）が密着したガラス基板試験片を作成した。試験片を洗浄剤（２５℃）に所定時間浸漬後、試験片をステンレス網かごの上に置きイオン交換水で１分間シャワーリンスし、さらに裏側の面についても同様にリンスした。次に、試験片を７０℃の循風乾燥機中で１０分間乾燥後、顕微鏡で観察して配向膜剥離性を次の５段階で評価した。
＜評価基準＞
５：ガラス基板面に配向膜が全くなし。
４：ガラス基板面に配向膜が痕跡程度残っている。
３：ガラス基板面の一部に配向膜が少し残っている。
２：ガラス基板面の大部分に配向膜が残っている。
１：ガラス基板全面に配向膜が残っている。
【００４３】
２．腐蝕性−１
アルミ薄膜（膜厚０．１μｍ）が密着したガラス基板試験片（２５×２５ｍｍ、厚さ０．７５ｍｍ）を洗浄剤（４０℃）に所定時間浸漬し、アルミ薄膜が完全になくなり試験片が透明になるまでの時間を測定して腐蝕時間とした。
腐蝕時間が長いほど耐腐蝕性がよい。
【００４４】
３．腐蝕性−２
アルミ試験片（２０×５０ｍｍ、厚さ１ｍｍ）を洗浄剤に浸漬し、５０℃で１週間放置した後、純水でリンス、９０℃で３０分乾燥し、重量を測定した。腐食速度は下式により求めた。
【数１】
2006008932.tif 000004
【００４５】
【表１】
2006008932.tif 000005
【００４６】
表１に示されるように、本発明の洗浄剤（実施例１〜８）は、１〜２分で半焼成垂直配向ポリイミド膜が剥離でき、しかも腐蝕時間が３６時間以上と耐腐蝕性が非常に良好である。
【産業上の利用可能性】
【００４７】
本発明の洗浄剤は、耐アルミ腐蝕性に優れ、かつ、油分、指紋、樹脂およびパーティクルを除去する能力にも優れているので、液晶パネル用ガラス基板などの電子部品の洗浄用途だけでなく、電気部品、金属部品および建材等の洗浄用途に適用が可能であり極めて有用性が高い。